Podtech/llm-jp-corpus-v4-ja_patent huggingface dataset:
(57)【要約】      （修正有）【課題】気持ちよく足先や手先の暖を保つことができる、手先足先が温かい着心地の良い着物を提供する。【解決手段】手先足先の冷える事を防ぐ幼児の着物や一般的な寝具の着物に係わるものであり、足先や手先の先端部分に大きなゆとりの有る袋３を取付けた着物であり、手先足先に充分余裕の袋を取付ける事が出来、非常に気分が良く、手先足先の袋が大きいので各種懐炉や暖房具と同居させる事が可能であり、寝具や着物や幼児用のパンツや上着に用い非常に効果がある、手先足先が温かい着心地の良い着物。【選択図】図１
2015121006.tif 000002
【特許請求の範囲】
【請求項１】
足先や手先の先端部分に大きなゆとりの有る袋を取付けた着物。
【発明の詳細な説明】
【技術分野】  本発明は着物に係わるもので幼児服や寝具や防寒服に係わるものである。
【背景の技術】
従来の技術は着物の素材の改良によって体を温かく保つ事が多かった。
【発明の開示】
当発明は手先や足先に大きな丸い余裕のある袋を取付けて寒さを防ぐと同時に気持ちの良い温かさを保つ事を可能にしたものである。
【発明が解決しょうとする課題】
冬の寒い時期に温かい気持ちの良い生活を保つ事を課題とする。着物の不必要な部分や部品を省略して嵩張る事がないよう重要な部分に重点を絞る事である。
【課題を解決しょうとする手段】
部屋の暖房だけに頼らずに着物の改良によって暖かく気持ちの良い生活を保つ事である。
【発明の効果】
手先足先に充分余裕の袋を取付ける事が出来非常に気分が良い。手先足先の袋が大きいので各種懐炉や暖房具と同居させる事が可能である。
【発明を実施する為の最良の形態】
当発明は寝具や着物や幼児用のパンツや上着に用い非常に効果がある。
【実施例】  本発明の一実施例の上着とパンツを図示する。
【産業上の利用可能性】  本発明は部品が少ない上製作も簡単なので安価に大量生産が可能である。
【図面の簡単な説明】  図面は当発明の一実施例を図示したもので第一図（１）は上着の腕の部分（２）は手の取り出し用の割れ目（３）は手先の部分に取付けた大きな丸い袋である。第二図（１）はズボンの足の部分（２）は足を取り出す割れ目（３）は足先に取付けた大きな丸い袋である。
【図１】
2015121006.tif 000003
【図２】
2015121006.tif 000004
(57)【要約】【課題】コンクリート打設による、シース管のずれを防ぐ。【解決手段】∪字状のシース管固定具と、そのシース管固定具を支持する棚受け材と支持架台とを備え、シース管固定具は棚受け材と螺合されて強固にシース管を固定することを特徴とするシース管固定架台を用いた。【選択図】図１
2015121055.tif 000002
【特許請求の範囲】
【請求項１】
シース管を固定する固定架台であり、シース管を固定するシース管固定具と、そのシース管固定具を支持する棚受け材と支持架台とを備え、シース管固定具は棚受け材と螺合されて強固にシース管を固定することを特徴としている固定架台。
【請求項２】
前記固定架台の支持架台は、ねじ山を有する支持棒を備え、ネジ溝を備えたナットの位置を調整することにより棚受け材の位置を調整できることを特徴とする固定架台。
【発明の詳細な説明】
【技術分野】
【０００１】
本発明は、プレストレスコンクリートのプレストレス導入材を収納するシース管の固定課題に関するものである。
【背景技術】
【０００２】
従来、プレストレスコンクリートのシース管をコンクリート内に埋設する場合、構造用鉄筋または別途設置した鉄筋に支持用の鉄筋（棚受け筋）を固定し、棚受け筋にシース管を結束線で固着していた。
【０００３】
特許文献１では、第一鉄筋に直行する方向に第二鉄筋を固定できる鉄筋シース管固定具を示しており、第二鉄筋を棚受け筋としてシース管を結束線で固着する方法を示唆している。
【先行技術文献】
【特許文献】
【０００４】
【特許文献１】特開２００４-１９３２８号公報
【発明の概要】
【発明が解決しようとする課題】
【０００５】
従来技術では棚受け筋にシース管を結束線で固着していたが、コンクリート打設時の振動や流動によって、結束線の緩みや破断が生じ、シース管が設計位置からずれてしまう場合があった。
【０００６】
特許文献１に記載される鉄筋固定具を用いることは、棚受け筋を任意の位置に固定するには容易な方法ではあるが、シース管を棚受け筋に結束線で固着するには変わりなく、結束線の緩みや破断が生じ、シース管が設計位置からずれる可能性がある。
【０００７】
本発明が解決しようとする課題は、シース管を容易に任意の位置に固定でき、同時にシース管がコンクリート打設時に設計位置からずれることを防止することである。
【課題を解決するための手段】
【０００８】
前記課題を解決するために、本発明は、シース管を任意の位置に固定することができ、コンクリートの打設時に設計位置からずれることを防止できるシース管固定架台であり、シース管を固定するシース管固定具と、そのシース管固定具を支持する棚受け材と支持架台とを備え、シース管固定具は棚受け材と螺合されて強固にシース管を固定することを特徴としている。
【発明の効果】
【０００９】
本発明のシース管固定架台は、任意の位置にシース管を固定でき、コンクリートの打設により、シース管が設計位置からずれることを防ぐことができる。
【図面の簡単な説明】
【００１０】
【図１】本発明に係る第一の実施形態のシース管固定架台の構成図である。
【図２】本発明に係る第二の実施形態のシース管固定架台の構成図である。
【発明を実施するための形態】
【００１１】
以下、本発明の実施形態を図面に基づき説明する。
【００１２】
図１に示す第一の実施形態は、支持架台が型枠に固定されるタイプである。一般にＰコンと呼ばれる穴埋栓１とねじ山を有した支持棒２で構成された支持架台２組を、型枠板の任意の位置に取付ける。
【００１３】
支持棒２には棚受け材固定用ナット５ａを棚受け材４の下端位置に設置する。棚受け材４には支持棒２を通す孔が予め形成されており、棚受け材４を支持棒２に通し、棚受け材固定用ナット５ａの上に架設する。設置後、棚受け材４の上に棚受け材固定用ナット５bにて棚受け材４を固定する。
【００１４】
次に、棚受け材４の上にシース管７を配設し、シース管７の上方から∪字状のシース管固定具３を取り付け、棚受け材４に予め形成された孔にシース管固定具３を通す。
【００１５】
棚受け材４の下方から、シース管固定具３の先端に予め切られたネジ部に固定用ナット６にて固定し、シース管７は固定される。
【００１６】
シース管７の鉛直方向の位置を調整するには棚受け材固定用ナット５の位置を調整することにより行う。
【００１７】
図１は、２本のシース管を固定する実施形態だが、棚受け材の長さを変えれば、複数のシース管を固定することが可能である。
【００１８】
図１は、棚受け材が１本の実施形態だが、棚受け材４を複数本用い、支持棒に複数段架設すれば、シース管を鉛直方向に複数段固定することが可能である。
【００１９】
図２に示す、第二の実施形態は、支持架台が鉄筋９に固定されるタイプである。ねじ山を有した支持棒２には予め、棚受け材固定ナット５、棚受け材４を通す。その後、支持棒２を一対の鉄筋９に鉄筋固定具８を用いて支持棒を架設する。
【００２０】
次に、棚受け材４の側方にシース管７を配設し、シース管７の側方からシース管固定具３を取り付け、棚受け材４に予め形成された孔にシース管固定具３を通す。
【００２１】
棚受け材４の側方から、シース管固定具３の先端に予め切られたネジ部にシース管固定具３固定用ナット６にて固定し、シース管７は固定される。
【００２２】
図２は、鉛直方向の設置された鉄筋９に支持架台が固定される実施形態だが、水平方向に設置された鉄筋に固定することも可能である。
【符号の説明】
【００２３】
１    穴埋め栓
２    支持棒
３    シース管固定具
４    棚受け材
５    棚受け材固定ナット
６    固定用ナット
７    シース管
８    鉄筋固定具
９    鉄筋
【図１】
2015121055.tif 000003
【図２】
2015121055.tif 000004
(57)【要約】 【課題】  想定した高さを超える津波または洪水が押し寄せた場合にあっても、これを阻止可能とするように構成した新規の堤防の提供を図る。【解決手段】  所要の構築用ブロックａを山状に組み立てると共にその外面全体には適宜の盛り土を施して構築した堤防Ａの中央部に、上面開口の矩形状空所Ｂを形成すると共に、当該矩形状空所Ｂ内には、その上面開口位置と合致する程度の高さを具えた嵩上げ用堤防体Ｃを遊嵌し、堤防Ａを超える高さの波が押し寄せた際に、これを矩形状空所Ｂ内に取り込むことに依る矩形状空所Ｂ内の水位上昇に基づき、嵩上げ用堤防体Ｃを浮上させて堤防Ａを超える高さの波に対する堤防作用を奏させるように構成した堤防。【選択図】  図１
2015121024.tif 000002
【特許請求の範囲】
【請求項１】
所要の構築用ブロック(a)を山状に組み立てると共にその外面全体には適宜の盛り土を施して構築した堤防(Ａ)の中央部に、上面開口の矩形状空所(Ｂ)を形成すると共に、当該矩形状空所(Ｂ)内には、その上面開口位置と合致する程度の高さを具えた嵩上げ用堤防体(Ｃ)を遊嵌し、堤防(Ａ)を超える高さの波が押し寄せた際に、これを矩形状空所(Ｂ)内に取り込むことに依る矩形状空所(Ｂ)内の水位上昇に基づき、嵩上げ用堤防体(Ｃ)を浮上させて堤防(Ａ)を超える高さの波に対する堤防作用を奏させるように構成した堤防。
【発明の詳細な説明】
【技術分野】
【０００１】
本発明は、地震等に伴い津波或いは洪水が押し寄せた際に対応するための堤防に関する。
【背景技術】
【０００２】
従来、大地震に見舞われた場合、避難場所の周囲に防火帯用の築山を設けると言う手段がある。  そして、当該築山は、多数の枠状ブロック材を山状に組み合わせて構築するものである（文献１参照。）。  この技術は防火帯としての役割を想定されたものであるが、地震発生に際する高波或いは洪水に対する防御用としても利用可能な技術である。
【先行技術文献】
【特許文献】
【０００３】
【特許文献１】特開２０１０−２５５２８１号公報
【発明の概要】
【発明が解決しようとする課題】
【０００４】
上述した築山の技術をそのまま堤防として利用した場合、例えば想定以上の高さを有する津波或いは洪水が押し寄せた場合、当該堤防を乗り越えて避難場所を襲うこととなり、重大な被害を招いてしまうこととなる。
【０００５】
本発明は、想定した高さを超える津波または洪水が押し寄せた場合にあっても、これを阻止可能とするように構成した新規の堤防の提供を図ったものである。
【課題を解決するための手段】
【０００６】
本発明は、所要の構築用ブロックａを山状に組み立てると共にその外面全体には適宜の盛り土を施して構築した堤防Ａの中央部に、上面開口の矩形状空所Ｂを形成すると共に、当該矩形状空所Ｂ内には、その上面開口位置と合致する程度の高さを具えた嵩上げ用堤防体Ｃを遊嵌し、堤防Ａを超える高さの波が押し寄せた際に、これを矩形状空所Ｂ内に取り込むことに依る矩形状空所Ｂ内の水位上昇に基づき、嵩上げ用堤防体Ｃを浮上させて堤防Ａを超える高さの波に対する堤防作用を奏させるように構成した堤防に係るものである。  
【発明の効果】
【０００７】
本発明は請求項１に記載のような構成を採用したから、堤防Ａを超える高さの波が押し寄せた場合であっても、当該波の取り込みに基づく嵩上げ用堤防体Ｃの浮上に基づき、良好なる堤防作用を呈することが出来る。  従って、最初から嵩上げ分だけ高く設定した場合に比して、堤防構築費用の低減化が図られる。  そして、本発明は、所要の構築用ブロックａを山状に組み立てることにより堤防Ａを構築するように構成してあるから、その構築費用の低減化と、構築の容易性が図られる。
【図面の簡単な説明】
【０００８】
【図１】本発明の全体を表した説明用縦断面図である。
【発明を実施するための形態】
【０００９】
図において、Ａは所要の構築用ブロックａを山状に組み立てて構築した堤防であって、その外面全体には適宜の盛り土（図面に於いては省略してある。）を施すと共に、植林して自然景観化を図るように構成することが好ましい。
【００１０】
また、上記した構築用ブロックａとしては、特開２００２−１２９６７６号公報に示す「構造部材及び構造物」、特開２００５−７８２９１号公報に示す「空間構成用部材」、特開２００３−３１３９０４号公報に示す「組立部材」等が挙げられるが、組み立てることによって、内部に細かく仕切られた空間が形成されるような形態の構築用ブロックであれば如何なるものであっても良い。  なお、このようなブロックを用いることが望ましいのは、堤防構築の迅速性と強度性に関する卓越性と、後述する所要空間の形成の容易性に基づくものである。
【００１１】
Ｂは堤防Ａの中央部（最も高い部分）に形成した上面開口の矩形状空所であって、その内部には、上面が矩形状空所Ｂの上面開口位置と合致する程度の高さを具えた嵩上げ用堤防体Ｃが遊嵌されている。
【００１２】
上記した嵩上げ用堤防体Ｃは、矢印で示すように堤防Ａを乗り越える高さの津波または洪水が押し寄せた際に、その水量を矩形状空所Ｂ内に導くように受け止め貯水する。  これにより、その浮力に基づき嵩上げ用堤防体Ｃを鎖線で示すように浮上させることによって、堤防全体が嵩上げされたような形態に転化させ、これにより予想以上の高波であっても決壊を阻止する様な堤防効果を発揮させる。
【００１３】
上記した嵩上げ用堤防体Ｃであるが、これは内部を空洞とする箱状形態のものとすることを原則とするが、上述した浮上を妨げないためには、例えば水の比重を超えない重さとするか、ある程度の空気を封入して船のような浮力を生じさせるものであっても良い。  従って、この条件を満たすものであれば、当該嵩上げ用堤防体Ｃの内部空間を、非常用食料等の貯蔵用容体としての利用を図るように構成しても良い。  Ｐは矩形状空所Ｂの下方に開設した水抜き用孔であって、津波または洪水が治まった後に、矩形状空所Ｂに流れ込んだ水の排出を行うためのものである。
【００１４】
Ｄは上記した矩形状空所Ｂの底部分に埋設した非常用飲料水貯蔵槽であって、常に一定の飲料水を貯蔵しておき、必要時にはその給水配管ｄを介して外部に取り出すことができるように構成してある。
【００１５】
Ｅは堤防Ａの所要箇所に形成した収容庫形成用空間であって、非常用備品の収容庫として利用するものである。
【００１６】
本発明は、上述したように嵩上げ用堤防体Ｃを浮上可能に設けたことを要旨構成とするものである。  そして、下記する構成を実施の態様とするものである。
【００１７】
１．嵩上げ用堤防体Ｃの内部空間を、非常用食料等の貯蔵用容体としての利用を図るように構成する。
２．矩形状空所Ｂの底部分に非常用飲料水貯蔵槽を埋設形成する。  これにより、矩形状空所Ｂの底部分の土台として機能させ、地盤としての安定化を図る。
３．堤防Ａの所要箇所に空間を形成して、非常用備品の収容庫として利用を図る。
【符号の説明】
【００１８】
Ａ  堤防
ａ  構築用ブロック
Ｂ  矩形状空所
Ｃ  嵩上げ用堤防体
Ｄ  非常用飲料水貯蔵槽
ｄ  給水配管
Ｅ  収容庫形成用空間
【図１】
2015121024.tif 000003
(57)【要約】【課題】高音質を楽しむために４系統音声信号への変換図を提供する。【解決手段】３つのステレオエフェクターに４つのアンプをつなげることを特徴とする【選択図】図１
2015043636.tif 000002
【特許請求の範囲】
【請求項１】
ステレオエフェクターによる４系統音声信号
【発明の詳細な説明】
【技術分野】
【０００１】この発明は、音楽機器の４系統音声信号への変換図に関するものである。
【背景技術】
【０００２】従来、音楽機器は２系統音声信号である
【先行技術文献】
【０００３】
【特許文献１】
【非特許文献１】
【発明の概要】
【発明が解決しようとする課題】
【０００４】これは次のような欠点があった。
（イ）４系統音声信号に変換するのに難があった
本発明は、以上のような欠点を失すためになされたものである。
【課題を解決するための手段】
【０００５】音声信号を４つに分けなければならない
本発明は、以上の構成よりなる４系統音声信号への変換図である。
【発明の効果】
【０００６】（イ）高音質で音楽を楽しめる
【図面の簡単な説明】
【０００７】
【図１】本発明の見取り図である。
【発明を実施するための形態】
【０００８】以下、本発明を実施するための最良の形態について説明する。
（１）モノラル音声から（２）１つのステレオエフェクターで２系統音声に分け、その１系統音声ずつに２つのステレオエフェクターをつなぎ（３）４つのアンプに入力し、４系統音声信号に変換する。
本発明は以上のような形態である。
【符号の説明】
【０００９】１  モノラル音声
２  ステレオエフェクター
３  アンプ
【図１】
2015043636.tif 000003
(57)【要約】【課題】  被加熱調理器具に磁束が誘起されるが、その際の漏れ磁束により周辺機器や人体への影響が懸念されている、また、被調理器具よりの輻射熱により誘導加熱装置や誘導コイル自体の温度上昇が起こり効率の低下や誘導加熱調理器自体の寿命を短くする懸念がある。【解決手段】  フェライトよりなる略円盤状や円盤を分割した形状で扇形としたものに外形縁部、または略同心円上に突起を設け誘導加熱コイルを設置したもので磁束の集中により被加熱器具への磁束の伝達効率を上げ、磁束の漏れをを軽減させる事で誘導加熱装置被加熱器具への磁束の伝達効率を上げ、磁束の漏れをを軽減させる事が出来るため周辺機器や人体への影響を低減出来、輻射熱による誘導加熱装置の温度上昇を抑える事が可能となる。【選択図】        図１
2015043259.tif 000002
【特許請求の範囲】
【請求項１】
誘電加熱調理器において、誘電加熱装置の構成としてマンガン−鉄系フェライトよりなる略円盤状や略円盤形状を数分割した形状で扇形としたものに外形縁部、または略同心円上付近に突起を設け誘導加熱コイルを設置し被加熱器具への磁束の伝達効率を上げ、磁束の漏れをを減少させ、この形状により被加熱調理具を乗せるプレートと誘導加熱装置の間に距離を保つ事で輻射熱の影響を抑えて誘導加熱装置の温度上昇を抑える事がを特徴とした誘導加熱調理器。
【発明の詳細な説明】
【技術分野】
【０００１】
電磁誘導により加熱を行う調理器で被調理具下方に設けられ略円形状の誘導加熱コイルと、金属類により被調理器に電界を生じさせ誘電加熱を行う調理器具に関するものである。
【背景技術】
【０００２】
従来より、上記加熱調理器では、誘導加熱時における加熱コイルと被加熱調理器具との間でもれ磁束が発生し、人体への影響や周辺機器、心臓ペースメーカへの悪影響が懸念されている。また、被加熱器具よりの輻射熱により加熱コイル自体が加熱され器機の効率を下げたり器機の故障を招くという不具合が発生するという事態が危惧されている。
【先行技術文献】
【特許文献】
【０００３】
【特許文献１】特開２０１２−１１９２４５
【発明の概要】
【発明が解決しようとする課題】
【０００４】
被加熱調理器具に磁束が誘起されるが、その際の漏れ磁束により周辺機器や人体への影響が懸念されている、また、被調理器具よりの輻射熱により誘導加熱装置や誘導コイル自体の温度上昇が起こり効率の低下や誘導加熱調理器自体の寿命を短くする懸念がある。
【課題を解決するための手段】
【０００５】
この課題の解決手段として従来の技術においては、誘導加熱調理器の金属製の鍋など被加熱器下側に電気導体を設けた誘導加熱装置が設置されている。この誘導加熱装置は、１ｍｍ程度の厚さのアルミニウム等より成る板で加熱コイルの発生する磁界を電気導体と被加熱調理器具とに鎖交する様に設置している。この場合、被加熱調理器具には、加熱コイルからの磁界と電気導体に誘起された電流により発生する磁界とが重畳的に鎖交することで渦電流が増し、被加熱調理器具への発熱量が大きくなり結果、被加熱調理器の温度が上がり調理が可能となる。
フェライトよりなる略円盤状や円盤を分割した形状で扇形としたものに外形縁部、または略同心円上に突起を設け誘導加熱コイルを設置したもので磁束の集中により被加熱器具への磁束の伝達効率を上げ、磁束の漏れをを軽減させるものである。この形状により被加熱調理具を乗せるプレートと誘導加熱装置の間に距離が保てるため輻射熱の影響を抑える事も出来、誘導加熱装置の温度上昇を抑える事が可能となる。
【発明の効果】
【０００６】
被加熱器具への磁束の伝達効率を上げ、磁束の漏れをを軽減させる事が出来るため周辺機器や人体への影響を低減出来、誘導加熱装置の間に距離が保てるため輻射熱の影響を抑える事も出来、誘導加熱装置の温度上昇を抑える事が可能となり器機寿命が延びたり故障率の低減が謀れる。
【図面の簡単な説明】
【０００７】
【図１】本発明の実施の形態に関わる誘導加熱部の断面図、上面図
【図２】本発明の実施の形態に関わる誘導加熱調理器の概念概略図
【図３】従来のの実施の形態に関わる誘導加熱調理器の概念概略図
【発明を実施するための形態】
【０００８】
フェライトよりなる略円盤状や円盤を分割した形状で扇形としたものに外形縁部、または略同心円上に突起を設け誘導加熱コイルを設置したもので磁束の集中により被加熱器具への磁束の伝達効率を上げ、磁束の漏れをを軽減させるものである。この形状により被加熱調理具を乗せるプレートと誘導加熱装置の間に距離が保てるため輻射熱の影響を抑える事も出来、誘導加熱装置の温度上昇を抑える事が可能となる。
【実施例】
【０００９】
図１は本発明の実施の形態に関わる誘導加熱調理器の誘導加熱装置に用いる鉄−マンガン系フェライトの形状例を２種示す。形状例１は本発明の実施の形態に関わる一例で略円盤形状を分割した扇型形状で縁周辺に突起を設けたものである、形状例２は略円盤形状を扇形に分割したもので略同心円上の突起を設けたもので大小の被加熱器具に対応する事が出来るものである。
図２は本発明の実施の形態に関わる誘導加熱調理器の概念概略図を示す。誘導加熱装置の誘導加熱コイル３に交流電流を流す事で磁界が発生し、その磁界が誘導加熱部４を伝わり誘導加熱部４の略円状の突起部より磁束が放出され、被加熱調理器具５にその磁束が伝わり被加熱器具５を加熱する事が出来るが、このとき誘導加熱部４の突起に磁束を集中する事が出来るため漏れ磁束を削減出来、省エネ化はもとより周辺の機器や人体への影響を軽減できるものである。
図３は従来の実施の形態に関わる誘導加熱調理器の概念略図を示す。誘導加熱装置の誘導加熱コイル３に交流電流を流す事で磁界が発生し、その磁界が誘導加熱部６を伝わり被加熱調理器５に伝わり渦電流等により熱を発生し調理が出来るものである。
【産業上の利用可能性】
【００１０】
本発明は、誘導加熱調理器の誘導加熱装置に適用できる。
【符号の説明】
【００１１】
１    誘導加熱部形状例１
２    誘導加熱部形状例２
３    誘導加熱コイル
４    誘導加熱部
５    被加熱調理器具
６    従来の誘導加熱部
【図１】
2015043259.tif 000003
【図２】
2015043259.tif 000004
【図３】
2015043259.tif 000005
(57)【要約】      （修正有）【課題】ズッキーニの茎がある程度伸びて茎が横倒れた場合、ズッキーニの茎を持ち上げて地面から実を離れさせるための支柱を提供する。【解決手段】ズッキーニ用支柱は、M字状の形状をし、M字を構成する二つの脚部が長くなっている。【効果】ズッキーニ用支柱でズッキーニの茎を持ち上げることにより、ズッキーニの実やズッキーニの葉が地面に接するのを防止している。ズッキーニの茎を持ち上げる量は、ズッキーニ用支柱のM字の脚部を地面に差し込む量により加減できる。【選択図】図１
2015043742.tif 000002
【特許請求の範囲】
【請求項１】
M字状の形状をし、M字の二つの脚部が長いことを特徴とする、ズッキーニ用支柱。
【請求項２】
弾力性のある材料を使用したことを特徴とする、請求項１のズッキーニ用支柱。
【請求項３】
弾力性のある材料を使用し、かつM字の形状をなめらかな曲線で形成したことを特徴とする、請求項１のズッキーニ用支柱。
【発明の詳細な説明】
【技術分野】
【０００１】
本発明は、野菜であるズッキーニの栽培に適する支柱に関する。
【背景技術】
【０００２】
ズッキーニは、イタリア料理に使用される人気の高い野菜である。その生育は、一段ごとに葉と実をつけながら、茎が上方へ伸びていくという特徴がある。したがって、ある程度茎が伸びると自身の重量で茎が横に倒れてしまい、実が地面に接してしまうようになる。実が地面に接するようになると、実が曲がって形が悪くなったり実に傷が付いたりするとともに、日光が当たらないので実の色付きが悪くなってしまい、品質が低下してしまう。また、最悪の場合茎が折れてしまうことがあり、その後の収穫が出来なくなってしまう。
従来野菜の茎が成長とともに倒れないような支柱として、文献１あるいは文献２が提案されているが、いずれの文献も支柱が野菜の茎に沿うことにより茎が倒れないようにしている。ズッキーニの実は茎に対し任意の方向に放射状につき、茎に対してほぼ直角に成長するため、文献１あるいは文献２の方式だとズッキーニの実が支柱にぶつかってズッキーニの実が変形したり傷が付いてしまう危険性がある。
【先行技術文献】
【特許文献】
【０００３】
【特許文献１】実用新案登録第３０６３９５３号
【特許文献２】実用新案登録第３１７８０６７号
【発明の開示】
【発明が解決しようとする課題】
【０００４】
本発明は、上記の問題点を解決するためのもので、ズッキーニの茎がある程度伸びて茎が横に倒れた場合、ズッキーニの茎を持ち上げて地面から実を離れさせるための支柱を提供することを課題とする。
【課題を解決するための手段】
【０００５】
上記課題を解決するため、請求項１のズッキーニ用支柱は、M字状の形状をし、M字を構成する二つの脚部が長くなっている。請求項２のズッキーニ用支柱は、弾力性のある材料を使用している。また請求項３のズッキーニ用支柱は、弾力性のある材料を使用することに加えM字の形状をなめらかな曲線で形成している。
【発明の効果】
【０００６】
本発明のズッキーニ用支柱を使用することにより、ズッキーニがある程度成長してズッキーニの茎が下に倒れても、ズッキーニの実や葉が地面に接することを防止でき、ズッキーニの実の曲がり、傷付き、色づきの悪化などの品質低下を防ぐことが出来る。
また、ズッキーニ用支柱を弾力性のある材料で製作し、M字の脚部を開脚あるいは閉脚する方向にバネ性を持たせてあるため、ズッキーニ用支柱を地面に差し込む際M字の脚部を広げてから地面に差し込めば、M字の脚部が閉脚する方向に地面を押さえる力が働くため、ズッキーニ用支柱を地面にしっかりと固定することができる。さらに、M字の形状をなめらかな曲線で形成することにより、M字の脚部の開脚量に対するバネ定数がほぼ一定になり作業しやすくなるとともに、脚部を開脚した時M字の特定部分への応力集中がなくなるのでズッキーニ用支柱の長寿命化が可能になる。
【発明を実施するための最良の形態】
【０００７】
[実施例]
図１は本発明のズッキーニ用支柱１を示しており、A部がM字状部、B部がM字の脚部であり脚部が長くなっている。また、ズッキーニ用支柱１の材料に弾力性のある鉄線を用い、A部に見られるようにM字の形状をなめらかな曲線で形成している。これにより、M字の二つの脚部を開脚あるいは閉脚する方向にバネ性を持たせている。
図２は本発明のズッキーニ用支柱１を使用している状態を示している。ズッキーニの茎２はある程度成育したことにより、自身の重さで下に垂れ下がっており、ズッキーニ用支柱１でズッキーニの茎２を持ち上げることにより、ズッキーニの実３やズッキーニの葉４が地面に接するのを防止している。ズッキーニの茎２を持ち上げる量は、ズッキーニ用支柱１のM字の脚部を地面に差し込む量により加減できる。
この状態でさらにズッキーニの生育が進むと、ズッキーニの茎２の先端部が垂れ下がり、再びズッキーニの実３やズッキーニの葉４が地面に接してしまうようになる。この場合、図３のように最初に使用したズッキーニ用支柱１をズッキーニの茎２の先端部に移動するか、あるいは図４のように第二のズッキーニ用支柱１を追加してズッキーニの茎２の先端部を地面から持ち上げてやる。
以降、ズッキーニの生育状況に合わせて上記のズッキーニ用支柱１の移動、あるいはズッキーニ用支柱１の追加をすることにより、ズッキーニの実３の曲がり、傷付き、色づきの悪化などの品質低下を防ぐことが出来る。
ズッキーニ用支柱１を地面に差し込む際、図５の破線のようにM字の脚部を広げてから地面に差し込むことにより、ズッキーニ用支柱１のバネ性によりM字の脚部が閉脚する方向に地面を押さえる力Fが働くため、ズッキーニ用支柱１を地面にしっかりと固定することができる。これにより、ズッキーニ用支柱１に多少の力が加わってもズッキーニ用支柱１が傾いてしまうことがない。M字の形状をなめらかな曲線で形成することにより、M字の脚部の開脚量あるいは閉脚量に対するバネ定数がほぼ一定になり作業しやすくなるとともに、M字の特定部分への応力集中がなくなるのでズッキーニ用支柱１の長寿命化が可能になる。
【図面の簡単な説明】
【０００８】
【図１】本発明のズッキーニ用支柱を示す。
【図２】本発明のズッキーニ用支柱を使用している状態を示す。
【図３】ズッキーニの生育に合わせてズッキーニ用支柱を移動した状態を示す。
【図４】ズッキーニの生育にあわせてズッキーニ用支柱を追加した状態を示す。
【図５】ズッキーニ用支柱をM字の脚部を広げてから地面に差し込んだ状態を示す。
【符号の説明】
【０００９】
１．ズッキーニ用支柱 
２．ズッキーニの茎
３．ズッキーニの実
４．ズッキーニの葉 
【図１】
2015043742.tif 000003
【図２】
2015043742.tif 000004
【図３】
2015043742.tif 000005
【図４】
2015043742.tif 000006
【図５】
2015043742.tif 000007
(57)【要約】      （修正有）【課題】餅の間に具を入れた焼き餅を容易に得る方法を提供する。【解決手段】１．餅の側面から５〜２０ミリ範囲の余部を残して、切り離さないように切断線（面）を入れた切り餅を焼く。２．焼いた餅を切断面から剥がし、間に具を挟む。中は柔らかく粘りがあるので、あんこばかりでなく、焼肉やハム、野菜サラダなど各種の具を容易に挟める。なお、平面と底面にスリットを入れた餅を、同様に側面から５〜２０ミリ範囲の余部を残して、切断しても良い。【選択図】図１
2015043760.tif 000002
【特許請求の範囲】
【請求項１】
餅を、側面から５ミリから２０ミリ範囲の余部を残して、切断したことを特徴とする餅。
【請求項２】
１  餅を、側面から５ミリから２０ミリ範囲の余部を残して、切断とする。
２  当該餅を加熱後に切断部分を利用して開き、具を加える。
以上の構成からなることを特徴とする具入り餅。
【請求項３】
平面と底面にスリットを入れた餅を、側面から５ミリから２０ミリ範囲の余部を残して、切断したことを特徴とする餅。
【発明の詳細な説明】
【技術分野】
【０００１】  本発明は、餅に関する。詳しくは、焼いて柔らかくなった部分に、はさんだりして具を加える餅に関する。
【背景技術】
【０００２】伸し餅を切った切り餅、または丸めた丸餅などの餅が市販されている。
餅は焼いて食べる。そのまま食べても美味である。味付けに、あんこなどを外側に塗り食べている。
あらかじめ、餅の中にあんこ、きなこ、味噌、ひき肉、チーズ、カレールー、ピザソース等の具材を内包させる提案もある。
また、ふっくら焼けるように側面あるいは上面に切れ目を入れていた、「餅」、「切り餅」などがある。
【先行技術文献】
【０００３】
【特許文献１】特許公開２０１２−１７５９６１
【特許文献２】特許公開２０１１−１２５３４４
【特許文献３】特許公開２００６−１７４８５１
【特許文献４】特許公開２００５−０３４０７９
【特許文献５】特許公開２００８−４３３１６
【特許文献６】特許４６３６６１６
【発明の開示】
【発明が解決しようとする課題】
【０００４】焼いて、容易に開き、具をはさんだり、具を載せる餅を提案する。
【課題を解決するための手段】
【０００５】餅側面に、５ミリから２０ミリ範囲の余部を残して、切断する。【０００６】  従来の平面と底面にスリットを入れた餅を利用してもよい。
側面、余部を残して、５ミリから２０ミリ範囲の余部を残して、切断する。【０００７】  加熱で、餅は柔らかくなる。
切断線（切断面）を利用して具をのせる部分を開ける。【０００８】本発明の餅を焼き、切断線から手で剥がせば柔らかい面がでるので、そこにあんこなどの具をのせる。
次にあわせる。このようにして、中に具がある餅得ることができる。【０００９】余部を５ミリから２０ミリ範囲にするのは、完全に切断しないためである。
中が柔らかくなれば切断線を利用して、真ん中で剥がせる。余部は蝶番（ヒンジ）に利用効果できる。【００１０】類似技術思想では、ふっくら焼けるように側面あるいは上面（平面）と底面に切れ目を入れていた。
本発明は、切り落とさないように中部を切断し、端は何も切断していない。
本発明は、焼いて中が柔らかくなったら、剥がすことを目的にしている。
剥がすことにより中に具を入れて、再度あわせたりできる。
また引き剥がし、柔らかな部分に具を載せて餅を台にしたピザのような料理も可能になる。
【発明の効果】
【００１１】  焼いて剥がし、具を入れてあわせるだけで、具入りの餅料理が得られる。
焼いた余部が、蝶番（ヒンジ）になる。
このため具をはさんであわせれば、一体化した餅を得る。【００１２】  焼いた余部を利用して剥がし平らにできる。蝶番（ヒンジ）効果。
ピザのように各種具を載せて、そのまま食べれる調理食品もできる。
【実施例１】
【００１３】  図１に示すように、市販の切り餅側面に、５ミリから２０ミリ範囲の余部を残して、切断する。
これを焼き、柔らかくなったら切断部分を利用し餅を開く。開いた面にあんこを載せ、また折りたたむ。
すると図２に示すように具入り餅を得る。柔らかくなった余部が、蝶番（ヒンジ）になる。
【実施例２】
【００１４】大きめの餅の側面に、５ミリから２０ミリ範囲の余部を残して、切断する。
これを焼き、柔らかくなったら切断部分を利用し餅を開く。
開いた面に各種具を載せる。たとえば、チーズや黒砂糖カレールー、焼肉などである。
図５に示すような餅料理を得る。【００１５】  図３のように、丸餅側面に、５ミリから２０ミリ範囲の余部を残して、切断してもよい。【００１６】  図４は、焼いた余部を利用して剥がし平らにして、粘着のある柔らかい面に具を載せた実施例を示す。
各種の具をのせることも可能である。【００１７】  図５は、スリット入り切り餅に余部を残し、切断線を入れたものである。
【産業上の利用可能性】
【００１８】本発明の切り餅を焼いて、切断線を利用して剥がす。
中は柔らかく粘りがあるので、あんこばかりでなく、焼肉やハム、野菜サラダなど各種のものを容易にはさめる。
餅サンドイッチ、餅バーガー、餅ピザなどの調理餅を容易に提供できる。
以上のように、本発明は、産業上の利用可能性がある。
【図面の簡単な説明】
【００１９】
【図１】は、本発明の切り餅の斜視図。
【図２】は、具をのせて合わせた状態説明の側面図。
【図３】は丸餅での実施例の側面図。
【図４】は、側面図
【図５】は、本発明に係わるスリット入り切り餅の実施例斜視図。
【符合の説明】
【００２０】  １・・・切り餅
２・・・切断線
３・・・余部
４・・・具
５・・・丸餅
６・・・スリット
７・・・スリット
８・・・スリット
９・・・具
【図１】
2015043760.tif 000003
【図２】
2015043760.tif 000004
【図３】
2015043760.tif 000005
【図４】
2015043760.tif 000006
【図５】
2015043760.tif 000007
(57)【要約】【課題】    調理の世界においてうまみを分離、または精製するために遠心分離機を提供する。【解決手段】      遠心分離機を設置し、容器の中に調理または調理するものを入れ、その容器を遠心分離器のしかるべきところに備え付けて使用する調理用遠心分離機を特徴とする。【選択図】図１
2015043957.tif 000002
【特許請求の範囲】
【請求項１】
調理に遠心分離機（１）を使用、利用し、そこで分離、精製などをおこなう調理用遠心分離機。遠心分離機は特に種類を選ばない。図１にはわかりやすい図を用いただけである。
【発明の詳細な説明】
【技術分野】
【０００１】  この発明は調理に遠心分離の機能を役立て、利用する事に関するものである。
【背景技術】
【０００２】  従来の調理法には焼く、煮る、蒸すなどの方法があり、それぞれうまみを引き出したり混ぜ合わせたりしていた。
【先行技術文献】
【特許文献】
【０００３】
【特許文献１】
【発明の概要】
【発明が解決しようとする課題】
【０００４】  これらの調理法はうまみを引き出したり、うまみを変化させたり、混ぜ合わせたりということができたが、うまみを分離することは基本的にはできないという欠点があった。
本発明は、以上のような欠点をなくすためになされたものである。
【課題を解決するための手段】
【０００５】  家庭でも使える、遠心分離機を設け、その中に、あるいは外側へ、なるべく多くの液体を収納できる容器を動かないようにしっかり固定する。分離したい料理はこの容器の中に入れる。
本発明は以上の構成よりなる遠心分離機を調理の世界に役立てる調理用遠心分離機である。
【発明の効果】
【０００６】  従来の調理法では難しかったうまみの精製、あるいは不要な味を取り除くといったことが可能となった。回転数を変えることにより多くの分離できる味がつくりだせ、それらを分離、あるいはうまみの精製を行うことにより、料理の世界が一変することであろう。
たとえば、ミックスジュースをそれぞれのフルーツジュースに戻すことも可能であるし、（比重が違っていれば）だしをとったスープをより純粋なうまみ成分だけを残したスープにすることも可能であり、逆に不要な苦み、渋みといった料理人が不要、あるいは取り除きたいと願うものを取り除くことができるようになる。
【図面の簡単な説明】
【０００７】
【図１】本発明の斜視図である。
【発明を実施するための形態】
【０００８】  以下本発明を実施するための形態について説明する。
遠心分離機（１）を設置し、その中、あるいは外側に容器（２）をしっかりと固定する。
次にその容器の中に分離したい料理、もしくは料理途中のものをいれる。そして、遠心を行い容器の中の料理を比重、重さについて分画をおこなう。この時料理人は分画したい成分に応じて回転数、時間を変えて分離を行う。必要なら遠心分離機自体も変更できる。
分離を終えた調理物を料理人は本人の意志により必要な部分を取り出したり、捨て去ることにより、うまみ成分を凝縮したり、うまみから不純物を取り除いてより、純粋なうまみにしたり、あるいは不要な苦み、渋みといった部分を取り除いたりすることができるようになる。
【符号の説明】
【０００９】１  遠心分離機
２  容器
【図１】
2015043957.tif 000003
(57)【要約】【課題】数字選択式宝くじの予想において、簡単に頼るものがなかった。本発明は、サイコロを転がすだけで予想することができる。【解決手段】各数字選択式宝くじに合わせ、ナンバーズは正１０角柱、ミニロトは正３１角柱、ロト６は正４３角柱、ロト７は正３７角柱のサイコロ。【選択図】図１
2015043958.tif 000002
【特許請求の範囲】
【請求項１】
数字選択式宝くじ用（ナンバーズ用、ミニロト用、ロト６用、ロト７用）サイコロ
【発明の詳細な説明】
【技術分野】
【０００１】  本発明は、日本で販売されている数字選択式宝くじの予想に関するものである。
【背景技術】
【０００２】  従来数字選択式宝くじの予想は、数字の出現分布や出現回数で行なっていた。
【先行技術文献】
【特許文献】
【０００３】
【発明の概要】
【発明が解決しようとする課題】
【０００４】  数字選択式宝くじの予想具は、電子的なものは色々あるが迷うことが多く簡単に頼るものがなかった。
本発明は、以上の問題点を解決するためになされたものである。
【課題を解決するための手段】
【０００５】  各数字選択式宝くじに合わせ、ナンバーズは正１０角柱、ミニロトは正３１角柱、ロト６は正４３角柱、ロト７は正３７角柱のサイコロを作成する。
【発明の効果】
【０００６】  迷った時には、サイコロを転がして予想することが出来る。
使用方法が簡単なので誰でも使用できる。
【図面の簡単な説明】
【０００７】
【図１】本発明のうちナンバーズ用サイコロ斜視図
【図２】本発明のうちミニロト用サイコロ斜視図
【図３】本発明のうちロト６用サイコロ斜視図
【図４】本発明のうちロト７用サイコロ斜視図
【発明を実施するための形態】
【０００８】  以下本発明の実施の形態を説明する。
（イ）図１ナンバーズ用サイコロは、正１０角柱とし、各側面に０〜９まで数字を入れる。
（ロ）図２ミニロト用サイコロは、正３１角柱とし、各側面に１〜３１まで数字を入れる。
（ハ）図３ロト６用サイコロは、正４３角柱とし、各側面に１〜４３まで数字を入れる。
（ニ）図４ロト７用サイコロは、正３７角柱とし、各側面に１〜３７まで数字を入れる。
本発明は以上のような構造である。
本発明を使用するときは、各宝くじにあったサイコロを転がして使用する。
【図１】
2015043958.tif 000003
【図２】
2015043958.tif 000004
【図３】
2015043958.tif 000005
【図４】
2015043958.tif 000006
(57)【要約】      （修正有）【課題】ビニール袋に速やかに多量の空気を取り入れて大きく膨らませること、そして空気を十分に取り込んだビニール袋を首の太さに関係なく、いかに速やかに手を使わずに首に密着させるかを課題とした。【解決手段】透明のビニール袋１の一方の開口部４にひもを通すための穴５を２箇所あけ、その裾を折り返してビニールどうしを溶着させ、折り返した空間にあけた穴から伸縮性の高いゴムひも２を通し、袋を一周して、もう一箇所の穴からゴムひも２を出して、その長さを調整するためのコードストッパー３を取り付けた。【選択図】図４
2015043955.tif 000002
【特許請求の範囲】
【請求項１】
ゴムの縮む力を利用して多量の空気をビニール袋の中に取り入れるようにし、手で袋を首に密着させなくてもいいように裾の折り返し部分に伸縮性の高いゴムひもを設けた。
【請求項２】
また誰の首にでもビニール袋が密着するように、ゴムひもの長さを調整できるようにコードストッパーを設けた。
【発明の詳細な説明】
【技術の分野】
【０００１】  この発明は、透明のビニールを袋状にし、裾に伸縮性の高い特殊なゴムひもを設けてゴムの縮む力を利用して多量の空気を袋の中に取り入れようにし、また誰の首にも密着するようにゴムひもの長さを調整出来るコードストッパーを設けた頭からかぶる防災マスクである。
【背景技術】
【０００２】  従来は「非特許文献１」が示すようにビニール袋と酸素発生器を組にした携帯用の酸素マスクであった。  しかし携帯用と言ってもポケットに入るようなものではなかった。【０００３】  その後、楽天市場などでビニール袋を大きく振り、空気をはらんだ状態で頭からかぶり袋の裾を首元に引く事で首に未着させ、酸素発生器などを使わずに袋の中の空気だけで避難する煙フード（呼称登録番号  第４０６１０８０号）というものが市販されるようになった。  しかしビニール袋を首に密着させるために裾を手で引っ張っている事が必要で、避難時に片手しか使えないという問題点がある。
【先行技術文献】
【非特許文献】
【０００４】
【非特許文献１】特開２００４−２７５６９４
【発明の概要】
【発明が解決しようとする課題】
【０００５】  この発明はビニール袋に速やかに空気を取り入れ大きく膨らませる事を課題とした。【０００６】  また空気を十分に取り込んだビニール袋を首の太さに関係なく、いかに速やかに首に密着させるかを課題とした。
【課題を解決するための手段】
【０００７】  透明のビニールを袋の一方の開口部の裾を折り返して、空気が漏れないようにビニールを縫い合わせるのではなくビニールどうしを溶着させ、その中に伸縮性の高いゴムひもを通す事を手段とした。  また誰の首にも合うように首の太さの違いをゴムの長さを調整するコードストッパーを設けて解決する事を手段とした。
【発明の効果】
【０００８】  この発明は従来からあるビニール製のかぶるだけの防煙マスクには無いもので、裾にゴムひもとコードストッパーを設ける事で袋の大きさは小さくても大きく膨らませ、手で袋を首に密着させなくても空気漏れを少なくする事ができ、従来の袋の大きさより小さくても同じ時間使用する事が出来ようになった。  また手で袋を固定しなくても良いので避難しやすくなった。
【図面の簡単な説明】
【０００９】
【図１】正面図  透明なビニールを袋状にした一方は開いていて、ゴムひも通し首に密着するようになっている。
【図２】底面図  透明なビニール袋を底から見るとゴムひもにより首にあたる部分が円状になっている。
【図３】断面図  図４に示した断面
【図４】製作図  この発明の製作方法を示したもの
【図５】実施図  空気を多量に入れるため大きく振りかぶる動作
【発明を実施する形態】
【００１０】  図５、実施図に示したように透明のビニール袋をかぶり開口部を首に当て大きく開口部を開き大きく振りかぶることで袋を大きく膨らませる。
【実施例】
【００１１】  安価に作ることが出来るのでホテルなどに常備するようにする。【００１２】  また構造が単純なので小さく出来、ポケットに入るサイズにすることが出来るので、どこにでもティシュペパーを携帯する感覚で携帯する事が出来る。
【産業上の利用可能性】
【００１３】  この発明は衣料品の分野ではゴムひもとコードストッパーとの組み合わせとしてトレーニングパンツなどの裾に良く見られる形態であるが、かぶる防災マスクとしては従来には無い発想である。  図４の製作図に示したように、ビニール袋の一方の開口部にひもを通すための穴を２箇所あける。  そしてその裾を折り返してビニールどうしを溶着させ、折り返した空間にあけた穴からゴムひもを通し袋を一周して、もう一箇所の穴からゴムひもを出してコードストッパーを取り付けた。
【符号の説明】
【００１４】  １、透明なビニール袋
２、ゴムひも
３、コードストッパー
４、開口部
５、紐を取入れ、取り出す穴
６、溶着部分
【図１】
2015043955.tif 000003
【図２】
2015043955.tif 000004
【図３】
2015043955.tif 000005
【図４】
2015043955.tif 000006
【図５】
2015043955.tif 000007
(57)【要約】【課題】  使用後に簡単に除去もしくは剥離可能で、簡単に交換でき、弁当箱や水筒のような飲食物に接する容器に適したシールを提供する。【解決手段】  水解性の紙または水溶性の高分子材料のフィルムからなるシール基材１の一方の面に、図及び文字の少なくともいずれかを印刷し、他方の面に接着剤層２と、離型紙３を配して、シールを構成する。本発明に係るシールを、例えば弁当箱に貼り付けた場合は、使用後に弁当箱を水に漬ければ、簡単に剥離や除去ができる。【選択図】図１
2015043051.tif 000002
【特許請求の範囲】
【請求項１】
水解性の紙または水溶性の高分子材料のフィルムからなるシール基材の一方の面に、図及び文字の少なくともいずれかを印刷してなり、他方の面に接着剤層を備えてなるシール。
【発明の詳細な説明】
【技術分野】
【０００１】  本発明は、容器、遊具、文房具の表面に貼り付けて用いるシールに関し、特に水溶性の材料で構成され、不要となった場合、または別のシールとの交換の際に簡単に水で洗い流すことができるシールに関するものである。
【背景技術】
【０００２】  シールは、光沢紙や透明フィルムなどに、図や文字を印刷し、印刷面の裏側に接着剤を塗布し、さらに接着剤の塗布面に離型紙を張り付けた形態で販売されている。その用途には、小売店において、価格などを表示したシールを、商品に貼って陳列したり、工業製品に、仕様や製造年月日を表示したシールを貼付したりするなど、様々なものがある。【０００３】  そして、前記のような実用的な用途がある一方で、装飾のために、容器、遊具、文房具などに貼り付けて用いるものがある。また、近年では、パーソナルコンピュータとプリンタを用いて、オリジナルのシールが制作できる、シール用紙も販売されている。【０００４】  このような例として、例えば特許文献１には、高分子材料のシートに、インクジェットプリンタを用いて文字や図を印刷し、携帯用通信端末に貼り付けることを目的とした、装飾用シールが開示されている。また、特許文献２には、持ち手の部分に、使用者のオリジナルの文字や図からなる表示を施すことが可能な箸を制作するためのキットが開示されている。【０００５】  シールは、その用途から、貼り付けた後は剥離し難いことが要求される一方で、装飾という観点からは、同一の対象物に貼り付けるシールにおいて、表示されている文字や図の交換が簡単にできる方が好都合であることも想定される。【０００６】  例えば、食事の楽しみを多様化するための趣味の一つに、弁当のおかずを用いて、キャラクターや風景などを表現する、『キャラ弁』が一般化しているが、弁当の蓋などの表面に表示されている文字や図を、弁当の表現内容に合わせることで、さらに特徴的な『キャラ弁』を実現できる。【０００７】  しかしながら、弁当の内容は、日々変わるので、それに適合した文字や図を表示した弁当箱を、予め準備しておくことは実質的に不可能である。このような場合は、弁当の蓋などに、シールを貼ることで対処できるが、前記のように、多くの場合、シールは頻繁に取り換えたり、剥離したりすることを想定した構成となっていないのが実状である。しかも簡単に剥離できないことは、食品に接する弁当箱のような容器においては、不衛生な状態を生じることに繋がることも考えられる。
【先行技術文献】
【特許文献】
【０００８】
【特許文献１】  特開２０１３−１２１７０１号公報
【特許文献２】  特開２０１１−２４５００５号公報
【発明が解決しようとする課題】
【０００９】  従って、本発明の課題は、使用後に簡単に除去もしくは剥離可能で、簡単に交換でき、弁当箱や水筒のような飲食物に接する容器に適したシールを提供することにある。
【課題を解決するための手段】
【００１０】  本発明は、前記課題の解決のため、シールの基材を構成するシート状の材料として、水解性もしくは水溶性を有する材料を用いることを、検討した結果なされたものである。
【００１１】  即ち、本発明は、水解性の紙または水溶性の高分子材料のフィルムからなるシール基材の一方の面に、図及び文字の少なくともいずれかを印刷してなり、他方の面に接着剤層を備えてなるシールでる。
【発明の効果】
【００１２】  本発明においては、シールの基材として、水解性を有する紙や、水溶性の高分子材料のフィルムを用いるので、弁当箱の蓋などにシールを貼り付けても、使用後に水に漬けておけば、紙を用いた場合であれば、紙を構成するパルプに細かく分解した状態になり、水溶性混分子フィルムを用いた場合であれば、水に溶解するので、簡単に剥離もしくは除去できる。
【００１３】  本発明に用いられる水解性の紙の具体例としては、紙の製造工程で、湿紙に対して、例えばカルボキシメチルセルロースを含む水溶性高分子及び金属イオンを添加し、これらを架橋させることにより得られる紙が挙げられる。また、水溶性高分子材料のフィルムとしては、例えばポリビニルアルコールのような水溶性高分子を主成分として成形したフィルムを用いることができる。
【００１４】  また、シールにおいては、基材の印刷を施した面の反対側の面に、接着剤層を設けるが、この接着剤にも水溶性のものを使用する必要がある。水溶性接着剤の具体的な例としてデンプン糊が挙げられ、前記のポリビニルアルコールなども使用可能である。
【図面の簡単な説明】
【００１５】
【図１】  本発明に係るシールの一例を示す図、図１（ａ）は正面図、図１（ｂ）は側面図。
【発明を実施するための形態】
【００１６】  次に本発明の実施の形態について説明する。本発明に用いられる材料は、基材、接着剤とも、水解性または水溶性のものであれば、特に限定されないが、簡単に剥離や洗い流しが可能で、しかも文字や図の印刷が容易なものとして、水解性の紙を用いるのが望ましい。
【００１７】  図１は本発明に係るシールの一例を示す図で、図１（ａ）は正面図、図１（ｂ）は側面図である。図１において、１はシール基材、２は接着剤層、３は離型紙である。正面に示した図柄は、輪郭などの黒い部分には海苔を用い、その他の部分は、スクランブルエッグ、食紅で着色した鯛でんぶなどを用いた『キャラ弁』を模したものである。
【００１８】  このようなシールを弁当箱に貼り付けることで、食事の楽しみを増すことができ、剥離も容易なので、毎日図柄を変えることもできる。また、弁当以外にも貼り付けて楽しめるのも勿論である。
【００１９】  以上に説明したように、本発明によれは剥離や除去が容易なシールを提供することができ、シールの用途拡大に寄与するところは、非常に大きいと言える。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２０】１・・・シール基材    ２・・・接着剤層    ３・・・離型紙
【図１】
2015043051.tif 000003